(57)【要約】      （修正有）【課題】線香への着火容易性および線香燃焼により生ずる灰の飛散防止に有効なる線香立てを提供する。【解決手段】線香を着脱可能に直立保持するための線香保持部と該線香保持部の外周に近接して位置する有底の灰受け部とを有する灰受け体２０を設け、該灰受け体２０を出入り可能に形成した灰受け体収納部を有し、該灰受け体２０にて直立した線香周囲にて線香と所定距離を有して覆設されるとともに、線香燃焼のための通気孔を有する灰飛散防止体１２を設け、以上の灰受け体２０と灰飛散防止体１２の組み合わせよりなることを特徴とする。【選択図】図１
2017153925.tif 000002
【特許請求の範囲】
【請求項１】
線香を着脱可能に直立保持するための線香保持部と該線香保持部の外周に近接して位置する有底の灰受け部とを有する灰受け体を設け、該灰受け体を出入り可能に形成した灰受け体収納部を有し、該灰受け体にて直立した線香周囲にて線香と所定距離を有して覆設されるとともに、線香燃焼のための通気孔を有する灰飛散防止体を設け、以上の灰受け体と灰飛散防止体の組み合わせよりなることを特徴とする灰飛散防止型墓用線香立て。
【請求項２】
灰飛散防止体の適所に、線香へ着火するための着火孔を設けてなる請求項１記載の灰飛散防止型墓用線香立て。
【発明の詳細な説明】
【技術分野】
【０００１】  この発明は、灰飛散防止機能に優れた墓用の線香立てに関する。
【背景技術】
【０００２】  従来より、種々の墓用線香立てが利用されているが、本発明にて示すように、灰飛散防止と線香への着火容易性の双方に優れた効果を発揮する線香立ては現在のところ見当たらない。
【発明の概要】
【発明が解決しようとする課題】
【０００３】  一般に、墓には線香を供えるための線香立てが用いられている。簡易的には、単なる筒体を設けてこの筒内に数本またはひとまとまりの線香を挿入直立させて、線香上縁にライターその他の着火具にて着火するものがある。あるいは風よけなどを施した線香立ても用いられている。
線香の燃焼が進むにつれて灰が生じ、この灰がある程度の長さになればその重量にて線香上縁から離れて周囲に落下する。落下した灰は墓石上に散らばって，墓石上面を汚すので外観上好ましくない。そのために、近年ではこの灰が墓石上に直接落下しないように、灰受けを有する線香立ても利用されつつある。
しかし、風が吹くとこの灰の落下位置が分散するために、風よけが必要となる。
また、線香への着火時に風があると、着火具の炎が揺らめいて着火しにくい場合があるが、上記の問題を一度に解決する適当な手段が見当たらないのが現状である。
本発明は以上に鑑み、風よけ機能と線香着火機能の双方を併せ持つ新規かつ有用なる手段を提供するべく発明されたものである。
【課題を解決するための手段】
【０００４】  課題を解決する手段として本発明は以下の構成とした。
すなわち、線香を着脱可能に直立保持するための線香保持部と該線香保持部の外周に近接して位置する有底の灰受け部とを有する灰受け体を設け、該灰受け体を出入り可能に形成した灰受け体収納部を有し、該灰受け体にて直立した線香周囲にて線香と所定距離を有して覆設されるとともに、線香燃焼のための通気孔を有する灰飛散防止体を設け、以上の灰受け体と灰飛散防止体の組み合わせる。
本発明は以上の構成よりなる灰飛散防止型墓用線香立てである。
【発明の効果】
【０００５】  本発明は、下記の効果を有する。
１．線香の周囲に灰飛散防止体を設けたので、線香の燃焼に伴って生ずる灰の墓石上への  飛散とその飛散に伴う墓石の汚れを防止することができる。
２．灰受け体を設けることにて、灰はこの灰受け体内に落下収納され、この灰受け体は灰  飛散防止体に着脱可能のため、灰の溜まった灰受け体を引き出して簡単に灰を捨てるこ  とができる。
３．線香着火のための着火孔を設けることにより、この孔より着火具を挿入して、風の影  響を防いで容易に線香への着火を行うことができる。
４．灰飛散防止体は直立した線香を覆う構造になっているので、線香着火時および着火後  の線香燃焼を風雨から保護することができる。
【図面の簡単な説明】
【０００６】
【図１】  本発明の斜視図（蓋板装着前・可動前板閉時）
【図２】  本発明の縮小斜視図（蓋板到着前・可動前板開時）
【図３】  本発明の灰受け体の斜視図（線香挿入直立状態）
【図４】  本発明の内部構造説明図（縦断面斜視）
【図５】  本発明の内部構造説明図（中央縦断面）
【図６】  本発明の別例における主体の斜視図
【図７】  本発明の別例における覆体の斜視図
【図８】  本発明の別例における灰受け体の斜視図
【図９】  本発明の別例における全体斜視図
【図１０】  本発明の別例における主体と覆体の関係説明図
【図１１】  本発明に用いる着火確認孔の構造説明図
【発明を実施するための最良の形態】
【０００７】  以下、本発明の実施形態について説明する。
図において、１は長方形石板による底板、２は底板上に固着立設される主体である。
この主体は図１にて示すように、直方体形状の立設石材の中央前面の上縁から下縁に到る平面視Ｕ形の弧状部３を有している。４は主体の両側に添設される側板で、その上縁と下縁位置は前記主体と同一であり、その前端は主体より前方に位置する。
５は可動前板である。この可動前板はその中央部分に装飾的なる通気部６を有する石板であって、その下部両側は適宜支持金具（図示略）にて該金具を回動中心として回動可能に側板中程に軸支される。この可動前板は図１〜図２のごとく、閉位置にては主体に当接し、開位置にては略水平に位置する。また、この可動前板上縁近傍には，着火孔７が穿設される。【０００８】  ８は円形板体による蓋板で、その下面には一対の係合突起９が突設される。また、主体上面と可動板体上縁には円形凹部１０および１１が各々設けられ、これらの円形凹部に上記の係合突起が挿入することにて蓋板は係合載置され、可動前板もこの蓋板係合にてその閉状態が保持される。
以上の構成にて、灰飛散防止体１２が構成される。【０００９】  ２０は灰受け体である。この灰受け体は以下の構成による。
２１は灰受け本体で、その前部は平板部２２であり，後部は中央に凹部を有する弧状部２３となっている所定高さの石材による一体形成物である。平板部２２には一対の指入れ凹部２４が設けられる。弧状部は図４〜図５にて示すように、その上縁から内方に下降する斜面部２５を有し、灰受け体下縁に底面を一致させて内方固着される円形の線香受け台２６が設けられる。この線香受け台の中央には、図４のごとく凹部が形成され、この凹部に中空逆円錐台形の金属板による線香保持部２７が挿入固定される。
以上にて、線香保持部と線香受け台および灰受け本体にて構成される灰受け体が設けられる。この灰受け体は、図４のように、前記の線香立て灰飛散防止体の下部に着脱可能に挿入保持される。
図４にて示されるように、主体２の下部には一段引っ込んだ内方面１３が形成され、この内方面に前記の弧状部２３が挿入されて位置する。この弧状部および平板部２２の高さは、可動前板の下方に位置する。また、斜面部２５は弧状部３内面より外側に位置する。【００１０】  次に、本例の使用について説明する。
まず、灰飛散防止体の蓋板を外し、可動前板を図２のごとく回動させて略水平位置とする。可動前板は前記のごとく、側板に軸支され、灰受け体の平板部上面にこの可動前板が当接してその回動後の位置が定まる。弧状部下方に位置する灰受け体の線香保持部に線香を挿入して直立させる。可動前板をもとの垂直位置に戻してから、着火孔より着火具を挿入して、その炎を直立している線香の上縁に当てて線香に着火する。
蓋板の係合突起を各円形凹部に挿入することにて、可動前板の回動を阻止して、着火作業が完了する。
可動前板には通気部が設けられて、この通気部より燃焼のための空気が流入し、またこの通気部の上部からは線香燃焼に伴う煙が放出される。線香の燃焼に伴って灰が生じ、この灰は線香上縁から落下して、灰受け体に溜まる。燃焼が終了すれば、灰受け体を灰飛散防止体の指入れ凹部に指先を入れてつまんで引き出し、適宜容器内に灰を捨てることができる。線香の周囲には主体と側板および可動前板が位置しているので、雨風の線香に対する影響を防ぐことができる。また、図５にて示すように、弧状部より外方に灰受け体の内側面が位置するので、落下した灰のすべてをこの灰受け体内に収納することができる。【００１１】  図６〜図１０は、本発明の別例を示すものである。
図において、３０は主体で、石材による平面視略コ字形物体であって、その上下部は開放されている。この主体内部は図６のように段部が形成され、この段部の両側上面には弧状凹部３１が形成される。主体の前方両端下部には一段せり出した段部３２が設けられる。
３３は側面視Ｌ形石材による覆体である。この覆体の上方下面両側には、下向きの弧状凸部３４が一体に形成され、その形状とサイズは前記の弧状凹部とほぼ同一である。
覆体の正面には、スリット式の通気孔３５が連設され、その上方位置には所定径円形孔による着火孔３６が穿設される。この覆体サイズは、図１０にて示すように、前記の主体の空間を覆うに適したサイズであり、その上下位置は弧状凹部と弧状凸部の当接および覆体下端が前記段部に当接することにて定まる。
４０は灰受け体である。この灰受け体は、石材による上部開放の有底中空角体であって、前記の主体下部内面に収納可能なサイズである。この灰受け体の底面中央には、中空逆円錐台形の金属製による線香受け４１が図８のごとく立設される。４２は指入れ孔で、灰受け体の前面に一対が設けられる。以上の主体と覆体にて灰飛散防止体が構成される。【００１２】  本例の使用に際しては、まず、主体より覆体を外し、灰受け体内の線香受けに適宜量の市販線香を挿入する。次に、覆体を主体にかぶせる。このとき、主体の弧状凹部に覆体の弧状凸部が当接し、覆体下面は主体の段部に当接する。
市販の細長ライターを着火孔より差し入れて、線香に着火する。この着火孔の高さは、立てかけた線香上端位置よりやや高い位置にあり、ライターより噴出する炎を線香上端に均一に当てて、すみやかに着火することができる。
線香の燃焼により生ずる煙は、通気孔上部より外部に排出される。通気孔下部は空気流入孔として作用する。
燃焼にて灰が生じ、この灰はやがて落下するが、主体下方には灰受け体が位置しており、また線香周囲には主体が位置して、この灰は外部に飛散することなく，灰受け体内に収容される。燃焼が完了すると、覆体を外し、灰受け体の指入れ孔に指を差し込みつまんで，主体から灰受け体を引き出して、中の灰を容易に捨てることができる。
本例においても、灰の外部への飛散は防止され、また線香着火時における風の影響を防ぐことができる。なお、通気孔は着火と燃焼の双方に有効であるとともに、発生する煙の排出機能も有している。また、前例と本例ともに、着火のための孔位置は、セットされた線香上縁よりやや上方位置である。【００１３】  以上、本発明について記したが、本発明は灰飛散防止機能と線香への着火容易性の双方を有するところにその特徴を有している。既述のように、従来品は上述のうち一方の機能を有するものしかなく、それぞれの問題点を有していたが、これらの問題は本発明にて解決するものとなったのである。
本発明の特徴の一つは、灰飛散防止機能である。既述構成のごとく、本発明では直立線香より所定距離を有して灰飛散防止体が設けられ、この灰飛散防止体の下方に灰受け体が位置するとともに、灰飛散防止体の内壁位置よりもこの灰受け体の内壁位置は外方に位置するために、燃焼した線香から生じて落下する灰のすべてをこの灰受け体内に収納することができるのである。また、灰受け体は既述のごとく、灰飛散防止体や線香立て本体部に着脱可能のため、必要に応じて引き出して容易に捨てることができる。【００１４】  線香への着火については、本発明では着火孔を設けて、この着火孔より市販の着火具を挿入して着火できるよう構成し、またこの着火孔位置は、市販の線香直立時高さよりやや上方に位置させている。着火具としては、市販のライターの中で細長先端部を有するものが適しており、この細長部分を挿入可能なサイズの着火孔である。
ライター先端より吹き出た炎は、その先端前方へ出るが、やがてその外気との温度差のために上方へと吹き上がる。線香への着火のためにはこの炎が線香上端に均一に当たることが必要である。そのために本発明では、線香上端よりやや上方位置に着火孔を設けている。従って、着火孔より挿入された着火具はやや下向きとなって、吹き出す炎を線香上端に均一に当てることができて、着火しやすいものとなる。
また既述の例ともに、通気部または通気孔を有しており、ここから線香燃焼のための空気流入が行われ、その上部は煙排出として機能するのである。【００１５】  本発明の別例においては、図６、図９、図１０にて鎖線で示すように、着火確認孔５０を設けてもよい。この着火確認孔は着火孔と同一高さであって、平面視にて着火孔位置と直角の位置における主体側面に対向して２個設けられ、この孔よりのぞき込んで着火の確認ができる。着火孔より着火具を差し込んで線香に点火するとき、その点火位置が正しく線香上面となっているかどうかを、この着火確認孔よりのぞき込んで確認することができる。この確認のとき、着火具を真横から見るのが最も確認しやすい。
そのために、上記の着火確認孔位置としたのである。
また、この着火確認孔サイズを着火孔と同一とすれば、着火確認孔を着火孔としても用いることができる。この着火確認孔からのぞくとき、内径の大きいほうが視野が広くなるが、しかし、雨水等が入り込みやすくなる。そのため、図１１にて示すように、孔内に円形段部を設けて、内方を大径に外方を小径にすることにより、視野が広く，かつ雨水等対策にも有効となる着火確認孔を形成することができる。
なお、円形段部に代えて内方に向けて大径となるテーパ面としてもよい。
また、着火具は着火確認孔より差し込んだ場合、この穴構造では差し込んだ後に、着火具の角度変更いわゆる首振りが所定範囲内にて可能であるために、より容易かつ正確な着火を行うことができる。なお、上述の着火確認孔方式は、初例にも用いることができる。
既述の各例においては、灰飛散防止体を墓石とは独立して設けたが、例えば墓石構成材の適所を切除して、加工成形した空隙を作り、この空隙内に灰受け体を挿入使用するよう構成してもよく、この場合はこの空隙に第２例に用いた覆体を用いることとなる。
つまり、主体はこの空隙内側面がになうこととなる。また、初例方式でも同様に形成することができる。
各例においては石材にて主要部を構成したが、これに限定することなく適宜に他の素材を選択して用いることができる。以上のごとく、本発明によって種々の利点を有する灰飛散防止型の墓用線香立てを得ることができる。
【符号の説明】
【００１６】  １  底板
２  主体
３  弧状部
４  側板
５  可動前板
６  通気部
７  着火孔
８  蓋板
９  係合突起
１０  円形凹部
１１  円形凹部
１２  灰飛散防止体
１３  内方面
２０  灰受け体
２１  灰受け本体
２２  平板部
２３  弧状部
２４  指入れ凹部
２５  斜面部
３０  主体
３１  弧状凹部
３２  段部
３３  覆体
３４  弧状凸部
３５  通気孔
３６  着火孔
４０  灰受け体
４１  線香受け
４２  指入れ孔
５０  着火確認孔
５１  線香
【図１】
2017153925.tif 000003
【図２】
2017153925.tif 000004
【図３】
2017153925.tif 000005
【図４】
2017153925.tif 000006
【図５】
2017153925.tif 000007
【図６】
2017153925.tif 000008
【図７】
2017153925.tif 000009
【図８】
2017153925.tif 000010
【図９】
2017153925.tif 000011
【図１０】
2017153925.tif 000012
【図１１】
2017153925.tif 000013